(57)【特許請求の範囲】
【請求項１】
その中心軸が設置面に対して垂直になるように立設されるとともに筒体の周面一部を分岐させて斜め上方に傾斜する筒状分岐部が設けられ、内部に絶縁性ガスが封入される接地容器と、
この接地容器及び前記筒状分岐部の開口端にそれぞれ取付けられた碍管と、
前記接地容器内に設けられ、前記接地容器開口端に取付けられたブッシング碍管内に配設された導体に電気的に接続された断路器固定電極と、前記接地容器内に配設された導体に電気的に接続されるともに前記断路器固定電極と同一軸線上にある断路器可動電極と、で構成された断路器と、
前記接地容器の筒状分岐部側開口端に取付けられた碍管内に設けられ、前記断路器と電気的に直列接続されるとともに、前記筒状分岐部側開口端に取付けられた碍管先端部に配設された遮断器固定電極と、前記接地容器内に配設された導体に電気的に接続され前記遮断器固定電極と同一軸線上にある遮断器可動電極と、で構成された遮断部と、
前記遮断部と断路器との間の前記遮断器可動電極側接続導体を中心として前記筒状分岐部の外周部に設けられた変流器と、
前記接地容器に取付けられ、前記断路器の断路器固定電極の周面に設けられた主極側電極と、この主極側電極と接離可能な開閉器可動電極とから構成される接地開閉器と、
前記断路器固定電極と前記接地容器開口端に取付けられたブッシング碍管内に配設された導体とを前記接地容器に支持固定する絶縁物と、
を備えたことを特徴とする複合形ガス絶縁開閉装置。
【請求項２】
請求項１記載の複合形ガス絶縁開閉装置において、
遮断部と断路器との間の接続導体を主極側電極として接離する接地開閉器を筒状分岐部に設けたことを特徴とする複合形ガス絶縁開閉装置。
【請求項３】
請求項１記載の複合形ガス絶縁開閉装置において、
断路器とブッシングとの間に変成器を備えたことを特徴とする複合形ガス絶縁開閉装置。
【請求項４】
請求項３記載の複合形ガス絶縁開閉装置において、
断路器とブッシングとの間の変成器を光変換形分圧器としたことを特徴とする複合形ガス絶縁開閉装置。
【請求項５】
その中心軸が設置面に対して垂直になるように立設されるとともに筒体の周面一部を分岐させて斜め上方に傾斜する筒状分岐部が設けられ、内部に絶縁性ガスが封入される接地容器と、
この接地容器及び前記筒状分岐部の開口端にそれぞれ取付けられた碍管と、
前記接地容器側開口端に取付けられた碍管内に設けられ、この碍管先端部に配設された遮断器固定電極と、前記接地容器内に配設された導体に電気的に接続され前記遮断器固定電極と同一軸線上にある遮断器可動電極と、で構成された遮断部と、
前記筒状分岐部内に設けられ、前記遮断部と電気的に直列接続されるとともに、前記筒状分岐部側開口端に取付けられたブッシング碍管内に配設された導体に電気的に接続された断路器固定電極と、前記接地容器内に配設された導体に電気的に接続されるともに前記固定電極と同一軸線上にある断路器可動電極と、で構成された断路器と、
前記遮断部と該遮断部の可動電極が接続される前記接地容器内に配設された導体を略直線状に配置して前記接地容器の接地部分に支持する支持絶縁物と、
前記遮断部と前記断路器とを直列接続する前記遮断器可動電極側導体部分を中心として前記接地容器の外周部に設けられた変流器と、
前記筒状分岐部に取付けられ、前記断路器の断路器固定電極の周面に設けられた主極側電極と、この主極側電極と接離可能な開閉器可動電極とから構成される接地開閉器と、
前記断路器固定電極と前記筒状分岐部開口端に取付けられたブッシング碍管内に配設された導体とを前記筒状分岐部に支持固定する絶縁物と、
を備えたことを特徴とする複合形ガス絶縁開閉装置。
【請求項６】
請求項５記載の複合形ガス絶縁開閉装置において、
断路器と遮断部との間にそれぞれのガス空間を区分する絶縁スペーサを設けたことを特徴とする複合形ガス絶縁開閉装置。
【請求項７】
その中心軸が設置面に対して垂直になるように立設されるとともに筒体の周面の異なる位置を分岐させて斜め上方に傾斜する２つの筒状分岐部が設けられ、内部に絶縁性ガスが封入される接地容器と、
この接地容器及び前記各筒状分岐部の開口端にそれぞれ取付けられた碍管と、
前記接地容器内に設けられ、前記接地容器開口端に取付けられたブッシング碍管内に配設された導体に電気的に接続された断路器固定電極と、前記接地容器内に配設された導体に電気的に接続されるともに前記断路器固定電極と同一軸線上にある断路器可動電極と、で構成された第１の断路器と、
前記接地容器の一方の筒状分岐部内に設けられ、前記第１の断路器と電気的に並列に接続されるとともに前記一方の筒状分岐部開口端に取付けられたブッシング碍管内に配設された導体に電気的に接続された断路器固定電極と、前記接地容器内に配設された導体に電気的に接続されるともに前記断路器固定電極と同一軸線上にある断路器可動電極と、で構成された第２の断路器と、
前記接地容器の他方の筒状分岐部開口端に取付けられた碍管内に設けられ、前記第１の断路器及び第２の断路器と電気的に直列接続されるとともに、前記他方の筒状分岐部側開口端に取付けられた碍管先端部に配設された遮断器固定電極と、前記接地容器内に配設された導体に電気的に接続され前記遮断器固定電極と同一軸線上にある遮断器可動電極と、で構成された遮断部と、
前記遮断部と前記第１及び第２の断路器との間の前記遮断器可動電極側接続導体を中心として前記他方の筒状分岐部の外周部に設けられた変流器と、
前記接地容器及び前記一方の筒状分岐部にそれぞれ取付けられ、前記第１及び第２の断路器の各断路器固定電極の周面に設けられた主極側電極と、これら主極側電極と接離可能な開閉器可動電極とから構成される第１及び第２の接地開閉器と、
前記第１の断路器固定電極と前記接地容器開口端に取付けられたブッシング碍管内に配設された導体とを前記接地容器に支持固定する絶縁物および前記第２の断路器固定電極と前記一方の筒状分岐部開口端に取付けられたブッシング碍管内に配設された導体とを前記筒状分岐部に支持固定する絶縁物と
を備えたことを特徴とする複合形ガス絶縁開閉装置。
【請求項８】
請求項１、請求項５、請求項７のいずれかに記載の複合形ガス絶縁開閉装置において、ブッシング導体及び接地開閉器の主極側電極を支持する絶縁物は、略円柱状の絶縁物で構成されていることを特徴とする複合形ガス絶縁開閉装置。
【請求項９】
請求項１、請求項５、請求項７のいずれかに記載の複合形ガス絶縁開閉装置において、
遮断部を接地容器の半径方向から絶縁物で支持固定し、さらに遮断部と断路器との間を遮断部側に凸形状の絶縁スペーサにてガス空間を区分すると共に、断路器の電極の１つを支持固定するようにしたことを特徴とする複合形ガス絶縁開閉装置。
【請求項１０】
請求項１、請求項５、請求項７のいずれかに記載の複合形ガス絶縁開閉装置において、
変流器は光変換形変流器を使用したことを特徴とする複合形ガス絶縁開閉装置。
【請求項１１】
その中心軸が設置面に対して垂直になるように立設されるとともに筒体の周面一部を分岐させて斜め上方に傾斜する筒状分岐部が設けられ、内部に絶縁性ガスが封入される接地容器と、
この接地容器及び前記筒状分岐部の開口端にそれぞれ取付けられた碍管と、
前記接地容器側開口端に取付けられた碍管内に設けられ、この碍管先端部に配設された遮断器固定電極と、前記接地容器内に配設された導体に電気的に接続され前記遮断器固定電極と同一軸線上にある遮断器可動電極と、で構成された遮断部と、
前記接地容器内に設けられ、前記遮断部と電気的に直列接続されるとともに、前記遮断器可動電極と電気的に接続された断路器固定電極と、前記接地容器内に前記接地容器の接地部分に絶縁支持物を介して支持された導体と電気的に接続される前記固定電極と、で構成された断路器と、
これら遮断部および断路器とを前記碍管乃至前記接地容器内に亘り略直線状に配置するとともに、
前記筒状分岐部開口端にブッシングとして設けられた碍管内に配設された導体と前記断路器との間を電気的に接続する接続導体と、
前記遮断部と断路器との間の接続導体を中心として前記接地容器の外周部に設けられた変流器と、
前記接地容器に取付けられ、前記断路器の断路器固定電極の周面に設けられた主極側電極と、この主極側電極と接離可能な開閉器可動電極とから構成される接地開閉器と、
を備えたことを特徴とする複合形ガス絶縁開閉装置。
【請求項１２】
請求項１１記載の複合形ガス絶縁開閉装置において、
遮断部と断路器のガス空間が絶縁スペーサで区切られ、且つ断路器の電極の１つは絶縁スペーサに支持固定されていることを特徴とする複合形ガス絶縁開閉装置。
【請求項１３】
請求項１乃至請求項１２のいずれかの項に記載の複合形ガス絶縁開閉装置において、
遮断部を収納している碍管およびブッシング碍管の少なくとも一方をＦＲＰとゴム等で構成された非磁器碍管を使用したことを特徴とする複合形ガス絶縁開閉装置。
【発明の詳細な説明】
【０００１】
【発明の属する技術分野】
本発明は、変電所等の電気所に設置される複合形ガス絶縁開閉装置に関する。
【０００２】
【従来の技術】
変電所等の電気所においては、電力用機器として遮断部、断路器等の複数の電力用開閉機器を組合せた複合形ガス絶縁開閉装置が使用されている。
【０００３】
図１７は一般的な複合形ガス絶縁開閉装置の単線結線図であり、図１８は図１７に対応した複合形ガス絶縁開閉装置の構造図である。
【０００４】
図１８に示す複合形ガス絶縁開閉装置は、複数本のブッシング１，１´、遮断部２、断路器３と接地開閉器４および変流器５、６から構成されている。
【０００５】
遮断部２は、固定側電極部２ａとこの固定側電極部２ａに対して可動側電極部２ｂとが同一軸線上に接離可能に設けられた筒形の接地容器２ｃをその中心軸線が設置面に平行になるように支持部材７を介して設置され、この接地容器２ｃの一方の開口端部には可動側電極部２ｂを操作する遮断部操作部８が取付けられ、また接地容器２ｃの周面上部に設けられた筒状の接続部に可動側電極部２ｂと接続される中心導体１ａを有するブッシング１が垂直に取付けられている。
【０００６】
また、断路器３は、固定側電極部３ａとこの固定側電極部３ａに対して可動側電極部３ｂとが同一軸線上に接離可能に設けられた筒形の接地容器３ｃをその中心軸線が設置面に垂直になるように支持部材７を介して設置され、この接地容器３ｃの周面に接地開閉器４と可動側電極部３ｂを操作する断路器操作部９が取付けられ、また断路器３の接地容器３ｃの周面に設けられた筒状の接続部は遮断部２の接地容器２ｃの他方の開口端部にこれより径の小さな接続筒体１０を介して接続され、さらに接地容器３の上方開口端部に固定側電極部３ａと接続される中心導体１ａ´を有するブッシング１´が垂直に取付けられている。
【０００７】
さらに、変流器５は遮断部２の接地容器２ｃ側の筒状の接続部とブッシング１との取付フランジ部間の外周面に中心導体１ａを囲むように設けられ、また変流器６は遮断部２の接地容器２ｃ側の接続筒体１０の外周面に固定側電極部２ａの通電導体を囲むように設けられている。
【０００８】
なお、遮断部２の接地容器２ｃ及び断路器３の接地容器３ｃ内にはＳＦ6ガス等の絶縁ガスが封入されている。この場合、接地容器２ｃ及び接地容器３ｃの接続部に設けられた導体の支持を兼ねた絶縁スペーサによりガス区分されている。
【０００９】
【発明が解決しようとする課題】
このように構成された複合形ガス絶縁開閉装置においては、遮断部２とブッシング１がそれぞれ独立しており、さらに遮断部２と断路器３とが別々の接地容器２ｃ，３ｃに収納され、且つ接地容器２ｃがその中心軸線が設置面に平行になるように設置され、接地容器３ｃがその中心軸線が設置面に対して垂直に設置されているため、複合形ガス絶縁開閉装置全体の寸法が大きく、しかも重量も重くなるため、その設置に広大な面積が必要になると共に、製品価格も高くなるという欠点があった。
【００１０】
加えて、遮断部での事故と他の部分での事故の判別のために二つの変流器を備える必要性も有った。
【００１１】
本発明は上記のような事情に鑑みてなされたもので、全体を小形且つ軽量化することができると共に、製品価格を安価にできる複合形ガス絶縁開閉装置を提供することを目的とする。
【００１２】
【課題を解決するための手段】
上記目的を達成するため、次のような手段により複合形ガス絶縁開閉装置を構成するものである。
【００１３】
請求項１に対応する発明は、その中心軸が設置面に対して垂直になるように立設されるとともに筒体の周面一部を分岐させて斜め上方に傾斜する筒状分岐部が設けられ、内部に絶縁性ガスが封入される接地容器と、この接地容器及び前記筒状分岐部の開口端にそれぞれ取付けられた碍管と、前記接地容器内に設けられ、前記接地容器開口端に取付けられたブッシング碍管内に配設された導体に電気的に接続された断路器固定電極と、前記接地容器内に配設された導体に電気的に接続されるともに前記断路器固定電極と同一軸線上にある断路器可動電極と、で構成された断路器と、前記接地容器の筒状分岐部側開口端に取付けられた碍管内に設けられ、前記断路器と電気的に直列接続されるとともに、前記筒状分岐部側開口端に取付けられた碍管先端部に配設された遮断器固定電極と、前記接地容器内に配設された導体に電気的に接続され前記遮断器固定電極と同一軸線上にある遮断器可動電極と、で構成された遮断部と、前記遮断部と断路器との間の前記遮断器可動電極側接続導体を中心として前記筒状分岐部の外周部に設けられた変流器と、前記接地容器に取付けられ、前記断路器の断路器固定電極の周面に設けられた主極側電極と、この主極側電極と接離可能な開閉器可動電極とから構成される接地開閉器と、前記断路器固定電極と前記接地容器開口端に取付けられたブッシング碍管内に配設された導体とを前記接地容器に支持固定する絶縁物とを備える。
【００１４】
請求項２に対応する発明は、請求項１に対応する発明の複合形ガス絶縁開閉装置において、遮断部と断路器との間に接地開閉器を備える。
【００１５】
請求項３に対応する発明は、請求項１に対応する発明の複合形ガス絶縁開閉装置において、断路器とブッシングとの間に変成器を備える。
【００１６】
請求項４に対応する発明は、請求項３に対応する発明の複合形ガス絶縁開閉装置において、断路器とブッシングとの間の変成器を光変換形分圧とする。
【００１７】
請求項５に対応する発明は、その中心軸が設置面に対して垂直になるように立設されるとともに筒体の周面一部を分岐させて斜め上方に傾斜する筒状分岐部が設けられ、内部に絶縁性ガスが封入される接地容器と、この接地容器及び前記筒状分岐部の開口端にそれぞれ取付けられた碍管と、前記接地容器側開口端に取付けられた碍管内に設けられ、この碍管先端部に配設された遮断器固定電極と、前記接地容器内に配設された導体に電気的に接続され前記遮断器固定電極と同一軸線上にある遮断器可動電極と、で構成された遮断部と、
前記筒状分岐部内に設けられ、前記遮断部と電気的に直列接続されるとともに、前記筒状分岐部側開口端に取付けられたブッシング碍管内に配設された導体に電気的に接続された断路器固定電極と、前記接地容器内に配設された導体に電気的に接続されるともに前記固定電極と同一軸線上にある断路器可動電極と、で構成された断路器と、前記遮断部と該遮断部の可動電極が接続される前記接地容器内に配設された導体を略直線状に配置して前記接地容器の接地部分に支持する支持絶縁物と、前記遮断部と前記断路器とを直列接続する前記遮断器可動電極側導体部分を中心として前記接地容器の外周部に設けられた変流器と、前記筒状分岐部に取付けられ、前記断路器の断路器固定電極の周面に設けられた主極側電極と、この主極側電極と接離可能な開閉器可動電極とから構成される接地開閉器と、前記断路器固定電極と前記筒状分岐部開口端に取付けられたブッシング碍管内に配設された導体とを前記筒状分岐部に支持固定する絶縁物とを備える。
【００１８】
請求項６に対応する発明は、請求項５に対応する発明の複合形ガス絶縁開閉装置において、断路器と遮断部との間にそれぞれのガス空間を区分する絶縁スペーサを設ける。
【００１９】
請求項７に対応する発明は、その中心軸が設置面に対して垂直になるように立設されるとともに筒体の周面の異なる位置を分岐させて斜め上方に傾斜する２つの筒状分岐部が設けられ、内部に絶縁性ガスが封入される接地容器と、この接地容器及び前記各筒状分岐部の開口端にそれぞれ取付けられた碍管と、前記接地容器内に設けられ、前記接地容器開口端に取付けられたブッシング碍管内に配設された導体に電気的に接続された断路器固定電極と、前記接地容器内に配設された導体に電気的に接続されるともに前記断路器固定電極と同一軸線上にある断路器可動電極と、で構成された第１の断路器と、前記接地容器の一方の筒状分岐部内に設けられ、前記第１の断路器と電気的に並列に接続されるとともに前記一方の筒状分岐部開口端に取付けられたブッシング碍管内に配設された導体に電気的に接続された断路器固定電極と、前記接地容器内に配設された導体に電気的に接続されるともに前記断路器固定電極と同一軸線上にある断路器可動電極と、で構成された第２の断路器と、前記接地容器の他方の筒状分岐部開口端に取付けられた碍管内に設けられ、前記第１の断路器及び第２の断路器と電気的に直列接続されるとともに、前記他方の筒状分岐部側開口端に取付けられた碍管先端部に配設された遮断器固定電極と、前記接地容器内に配設された導体に電気的に接続され前記遮断器固定電極と同一軸線上にある遮断器可動電極と、で構成された遮断部と、前記遮断部と前記第１及び第２の断路器との間の前記遮断器可動電極側接続導体を中心として前記他方の筒状分岐部の外周部に設けられた変流器と、前記接地容器及び前記一方の筒状分岐部にそれぞれ取付けられ、前記第１及び第２の断路器の各断路器固定電極の周面に設けられた主極側電極と、これら主極側電極と接離可能な開閉器可動電極とから構成される第１及び第２の接地開閉器と、前記第１の断路器固定電極と前記接地容器開口端に取付けられたブッシング碍管内に配設された導体とを前記接地容器に支持固定する絶縁物および前記第２の断路器固定電極と前記一方の筒状分岐部開口端に取付けられたブッシング碍管内に配設された導体とを前記筒状分岐部に支持固定する絶縁物とを備える。
【００２０】
請求項８に対応する発明は、請求項１、請求項５、請求項７のいずれかに対応する発明の複合形ガス絶縁開閉装置において、ブッシング導体及び接地開閉器の主極側電極を支持する絶縁物は、略円柱状の絶縁物で構成される。
【００２１】
請求項９に対応する発明は、請求項１、請求項５、請求項７のいずれかに対応する発明の複合形ガス絶縁開閉装置において、遮断部を接地容器の半径方向から絶縁物で支持固定し、さらに遮断部と断路器との間を遮断部側に凸形状の絶縁スペーサにてガス空間を区分すると共に、断路器の電極の１つを支持固定する。
【００２２】
請求項１０に対応する発明は、請求項１、請求項５、請求項７のいずれかに対応する発明の複合形ガス絶縁開閉装置において、変流器は光変換形変流器を使用する。
【００２３】
請求項１１に対応する発明は、その中心軸が設置面に対して垂直になるように立設されるとともに筒体の周面一部を分岐させて斜め上方に傾斜する筒状分岐部が設けられ、内部に絶縁性ガスが封入される接地容器と、この接地容器及び前記筒状分岐部の開口端にそれぞれ取付けられた碍管と、前記接地容器側開口端に取付けられた碍管内に設けられ、この碍管先端部に配設された遮断器固定電極と、前記接地容器内に配設された導体に電気的に接続され前記遮断器固定電極と同一軸線上にある遮断器可動電極と、で構成された遮断部と、前記接地容器内に設けられ、前記遮断部と電気的に直列接続されるとともに、前記遮断器可動電極と電気的に接続された断路器固定電極と、前記接地容器内に前記接地容器の接地部分に絶縁支持物を介して支持された導体と電気的に接続される前記固定電極と、で構成された断路器と、これら遮断部および断路器とを前記碍管乃至前記接地容器内に亘り略直線状に配置するとともに、前記筒状分岐部開口端にブッシングとして設けられた碍管内に配設された導体と前記断路器との間を電気的に接続する接続導体と、前記遮断部と断路器との間の接続導体を中心として前記接地容器の外周部に設けられた変流器と、前記接地容器に取付けられ、前記断路器の断路器固定電極の周面に設けられた主極側電極と、この主極側電極と接離可能な開閉器可動電極とから構成される接地開閉器とを備える。
【００２４】
請求項１２に対応する発明は、請求項１２に対応する発明の複合形ガス絶縁開閉装置において、遮断部と断路器のガス空間が絶縁スペーサで区切られ、且つ断路器の電極の１つは絶縁スペーサに支持固定される。
【００２５】
請求項１３に対応する発明は、請求項１乃至請求項１３のいずれかに対応する発明の複合形ガス絶縁開閉装置において、遮断部を収納している碍管およびブッシング碍管の少なくとも１方をＦＲＰとゴム等で構成された非磁器碍管を使用する。
【００２６】
上記構成の複合形ガス絶縁開閉装置においては、遮断部がブッシングを兼ねた碍管の中に収納されているため、接地容器を小さくすることができると共に、遮断部の地絡事故がなくなり、遮断部地絡事故を判別する変流器が不要となっている。
【００２７】
【発明の実施の形態】
以下本発明の実施の形態を図面を参照して説明する。
【００２８】
図１は本発明による複合形ガス絶縁開閉装置の第１の実施の形態を示す構成図であり、図２は同実施の形態の複合形ガス絶縁開閉装置に対応する単線結線図である。
【００２９】
図１において、３１は筒体の周面一部を分岐させて斜め上方に傾斜する筒状分岐部３１ａが設けられた断路器３０の接地容器で、この接地容器３１はその中心軸線が設置面に対して垂直になるように支持部材３７に取付けられている。
【００３０】
接地容器３１内には固定電極部３３とこの固定電極部３３に対して接離可能に可動電極部３２が同一軸線上に設けられ、固定電極部３３は接地容器３１の上部開口端に設けられた絶縁スペーサ６０の電極６１に取付け支持され、また可動電極部３２は支持部材３７に取付けられた中空導体３２ａに移動可能に支持されている。
【００３１】
また、接地容器３１の上部開口端に設けられた絶縁スペーサ６０上には磁器碍管１２内に中心導体１１を設けたブッシング１が垂直に取付けられ、その中心導体１１は絶縁スペーサ６０を介して固定電極部３３に電気的に接続されている。
【００３２】
固定電極部３３の周面一部に接地開閉器４の主極側電極４１が取付けられ、この主極側電極４１に対応する接地容器３１の外周面には接地開閉器操作機構４３が取付けられている。この接地開閉器操作機構４３は可動電極４２を主極側電極４１に対して接離可能に移動操作するものである。
【００３３】
また、可動電極部３２に対応する接地容器３１の外周面には操作機構３４が取付けられ、この操作機構３４は操作ロッド３５を介して可動電極部３２の可動電極を固定電極部３３の固定電極に対して接離可能に移動操作するものである。
【００３４】
一方、断路器３０の接地容器３１の筒状分岐部３１ａの開口端にはブッシングを兼ねた遮断部碍管２３が取付けられ、この遮断部碍管２３内には遮断部２０の固定電極部２１とこの固定電極部２１に対して接離可能な可動電極部２２とが同一軸線上に設けられる。そして、固定電極部２１は遮断部碍管２３の先端部に取付けられ、可動電極部２２は中空導体２２ａを介して断路器３０の可動電極部３２側の中空導体３２ａに連通させて接続されている。
【００３５】
また、支持部材３７に取付けられた可動電極部３２側の中空同導体３２ａの下端部に遮断部操作機構２８が取付けられ、この遮断部操作機構２８により操作される操作ロッド２５、この操作ロッド２５に変換レバー２４を介して連結され、且つ遮断部２０側の可動電極部２２の可動電極を固定電極部２１の固定電極に対して接離させるリンク２６が断路器３０の可動電極部３２側の中空同導体３２ａ内を通して遮断部２０の可動電極部２２側の中空導体２２ａ内に挿入されている。
【００３６】
さらに、断路器３０の接地容器３１の筒状分岐部３１ａの開口端付近の外周面に遮断部２０の可動電極部２２側の中空導体２２ａを囲むように変流器７０が設けられている。
【００３７】
なお、断路器３０の接地容器３１及び筒状分岐部３１ａに取付けられた遮断部碍管２３内には、ＳＦ6ガス等の絶縁ガスが封入されている。
【００３８】
このように構成された複合形ガス絶縁開閉装置とすれば、断路器３０の接地容器３１に筒状分岐部３１ａを設け、この筒状分岐部３１ａにブッシングを兼ねた遮断部碍管２３を取付け、この遮断部碍管２３内に遮断部２０の固定電極部２１及び可動電極部２２を収納するようにしたので、ブッシングは断路器３０の接地容器３１側に１本設けるだけでよく、しかも遮断部が碍管内にあることから遮断部の地絡事故を検出するための変流器が不要となる。従って、全体を小形且つ軽量化することができると共に、製品価格を安価にできる。
【００３９】
図３は本発明による複合形ガス絶縁開閉装置の第２の実施の形態を示す構成図で、図１と同一部分には同一符合を付してその説明を省略し、ここでは異なる部分についてのみ述べる。
【００４０】
第２の実施例においては、図３に示すように断路器３０の固定電極部３３を支持固定するための絶縁スペーサに代えてブッシング１の中心導体１１と繋がる導体部分に略円柱状の絶縁物６２の一端部を取付け、この絶縁物６２の他端部を接地容器３１に取付け固定するようにしたものである。
【００４１】
このような構成の複合形ガス絶縁開閉装置とすれば、第１の実施の形態よりもより簡素な構成とすることができる。
【００４２】
図４は本発明による複合形ガス絶縁開閉装置の第３の実施の形態を示す構成図で、図１と同一部分には同一符合を付してその説明を省略し、ここでは異なる部分についてのみ述べる。
【００４３】
第３の実施の形態においては、図４に示すように断路器３０の接地容器３１の筒状分岐部３１ａ内に設けられた遮断部２０の可動電極部２２側の中空導体２２ａの外周面の一部に第２の接地開閉器８１の主極電極８２を取付け、この主極側電極８２に対応する接地容器３１の筒状分岐部３１ａの外周面には可動電極８３を主極側電極８２に対して接離可能に移動操作する接地開閉器操作機構８４を取付けるものである。
【００４４】
このように構成された複合形ガス絶縁開閉装置とすれば、遮断部２０と断路器３０との間に第２の接地開閉器８１を設けるようにしているので、点検時に当該部分の電位を接地電位にすることが容易にでき、作業の安全性を向上させることができる。
【００４５】
図５は本発明による複合形ガス絶縁開閉装置の第４の実施の形態を示す構成図で、図１と同一部分には同一符合を付してその説明を省略し、ここでは異なる部分についてのみ述べる。
【００４６】
第４の実施の形態においては、図５に示すように断路器３０の接地容器３１の筒状分岐部３１ａの開口端付近の外周面に設けられる変流器として、光変換形変流器７１を遮断部２０の可動電極部２２側の中空導体２２ａを囲むように設けるものである。
【００４７】
このように構成された複合形ガス絶縁開閉装置とすれば、第１の実施の形態の変流器に代えて軽量な光変換形変流器７１を設けることにより、より軽量、且つ簡素化を図ることができる。
【００４８】
図６は本発明による複合形ガス絶縁開閉装置の第５の実施の形態を示す構成図で、図１と同一部分には同一符合を付してその説明を省略し、ここでは異なる部分についてのみ述べる。
【００４９】
第５の実施の形態においては、図６に示すようにブッシング１に繋がる断路器３０の固定電極部３３に対応させて系統電圧を測定する変成器７２を設けるものである。
【００５０】
このように構成された複合形ガス絶縁開閉器とすれば、変流器７０に加えて変成器７２が組込まれるので、電流計測に加えて電圧計測が可能となり、多機能を持たせることができる。
【００５１】
図７は本発明による複合形ガス絶縁開閉装置の第６の実施の形態を示す構成図で、図１と同一部分には同一符合を付してその説明を省略し、ここでは異なる部分についてのみ述べる。
【００５２】
第６の実施の形態においては、図７に示すように系断路器３０の接地容器３１の上部外周面に系統電圧測定デバイスとして光変換形分圧器７３を固定電極部３３とブッシング１の中心導体１１と繋がる導体部を囲むように設けるものである。
【００５３】
このような構成の複合形ガス絶縁開閉装置とすれば、軽量且つ簡素化を図ることができる。
【００５４】
図８は本発明による複合形ガス絶縁開閉装置の第７の実施の形態を示す構成図で、図１と同一部分には同一符合を付してその説明を省略し、ここでは異なる部分についてのみ述べる。
【００５５】
第７の実施の形態においては、図８に示すように断路器３０の接地容器３１に取付けられるブッシング１及び筒状分岐部３１ａに取付けられる遮断部碍管に代えてＦＲＰとゴム等で構成された非磁器碍管１５，１６を設けるものである。
【００５６】
このような構成の複合形ガス絶縁開閉装置とすれば、装置全体の大幅な軽量化を図ることができる。
【００５７】
図９は本発明による複合形ガス絶縁開閉装置の第８の実施の形態を示す構成図で、図１と同一部分には同一符合を付してその説明を省略し、ここでは異なる部分についてのみ述べる。
【００５８】
第８の実施の形態においては、図９に示すように断路器３０の接地容器３１に設けられた短形の筒状分岐部３１ａに筒体３１ｂを連結し、さらにこの筒体３１ｂの開口端にブッシングを兼ねた遮断部碍管２３が取付けられ、この遮断部碍管２３内には遮断部２０の固定電極部２１とこの固定電極部２１に対して接離可能な可動電極部２２とが同一軸線上に設けられる。この筒状分岐部３１ａ内に設けられた可動電極部３２を支持する中空導体３２ａを筒状分岐部３１ａの中心線上に位置するように屈曲させると共に、筒状分岐部３１ａの開口端に連結される筒体３１ｂとの間に介挿された絶縁スペーサ６５に支持させる。また、この絶縁スペーサに支持された中空導体３２ａは遮断部２０の可動電極部２２に繋がる中空導体２２ａに接続される。さらに、中空導体２２ａの下端部に対応する筒体３１ｂの外周に遮断部操作機構２８が取付けられ、この遮断部操作機構２８により操作される操作ロッド２５、この操作ロッド２５に変換レバー２４を介して連結され、且つ遮断部２０側の可動電極部２２の可動電極を固定電極部２１の固定電極に対して接離させるリンク２６が遮断部２０の可動電極部２２側の中空導体２２ａ内に挿入されている。この場合、操作ロッド２５は絶縁物２７内を挿通させて変換レバー２４に連結されている。
【００５９】
なお、本実施の形態では、図２と同様にブッシング１の中心導体１１と繋がる断路器３０の固定電極部３３の導体部分に略円柱状の絶縁物６２の一端部を取付け、この絶縁物６２の他端部を接地容器３１に取付け固定している。
【００６０】
このような構成の複合形ガス絶縁開閉装置によれば、断路器と遮断部のガスを絶縁スペーサ６５により区分されているので、点検時の作業性を向上させることができる。
【００６１】
図１０は本発明による複合形ガス絶縁開閉装置の第９の実施の形態を示す構成図で、図１と同一部分には同一符合を付して説明する。
【００６２】
図１０において、３１は筒体の周面一部を分岐させて斜め上方に傾斜する筒状分岐部３１ａが設けられた遮断部２０の接地容器で、この接地容器３１はその中心軸線が設置面に対して垂直になるように支持部材３７に取付けられている。
【００６３】
この接地容器３１の開口端にはブッシングを兼ねた遮断部碍管２３が取付けられ、この遮断部碍管２３内には遮断部２０の固定電極部２１とこの固定電極部２１に対して接離可能な可動電極部２２とが同一軸線上に設けられる。そして、固定電極部２１は遮断部碍管２３の先端部に取付けられ、可動電極部２２は中空導体２２ａを介して支持絶縁物３６により支持部材３７に垂直に取付けられている。
【００６４】
また、支持部材３７に取付けられた可動電極部２２側の中空同導体２２ａの下端部に遮断部操作機構２８が取付けられ、この遮断部操作機構２８により操作される操作ロッド２５が遮断部２０の中空導体２２ａ内を挿通して可動電極部２２を固定電極部２１に対して接離可能に接続されている。
【００６５】
さらに、遮断部２０の接地容器３１の開口端付近の外周面に可動電極部２２側の中空導体２２ａを囲むように変流器７０が設けられている。
【００６６】
一方、接地容器３１の筒状分岐部３１ａ内には断路器３０の固定電極部３３とこの固定電極部３３に対して接離可能に可動電極部３２が同一軸線上に設けられ、固定電極部３３は筒状分岐部３１ａの上部開口端に設けられた絶縁スペーサ６０の電極６１に取付け支持され、また可動電極部３２は支持部材３７に取付けられた遮断部２０側の中空導体２２ａに連通させて接続された中空導体３２ａに移動可能に支持されている。
【００６７】
また、接地容器３１の筒状分岐部３１ａの上部開口端に設けられた絶縁スペーサ６０上には磁器碍管１２内に中心導体１１を設けたブッシング１が取付けられ、その中心導体１１は絶縁スペーサ６０を介して固定電極部３３に電気的に接続されている。
【００６８】
固定電極部３３の周面一部に接地開閉器４の主極側電極４１が取付けられ、この主極側電極４１に対応する筒状分岐部３１ａの外周面には接地開閉器操作機構４３が取付けられている。この接地開閉器操作機構４３は可動電極４２を主極側電極４１に対して接離可能に移動操作するものである。
【００６９】
また、可動電極部３２に対応する筒状分岐部３１ａの外周面には操作機構３４が取付けられ、この操作機構３４は操作ロッド３５を介して可動電極部３２の可動電極を固定電極部３３の固定電極に対して接離可能に移動操作するものである。
【００７０】
なお、遮断部２０の接地容器３１とこの接地容器３１に取付けられた遮断部碍管２３及び筒状分岐部３１ａ内には、ＳＦ6ガス等の絶縁ガスが封入されている。
【００７１】
このように構成された複合形ガス絶縁開閉装置とすれば、第１の実施の形態と同様の作用効果が得られることに加えて、遮断部２０の可動電極部２２側の中空導体２２ａを支持部材３７に絶縁支持物３６を介してほぼ直線状に取付けることができるので、遮断部２０の可動電極部を駆動操作する操作機構部を簡素化することができる。
【００７２】
図１１は本発明による複合形ガス絶縁開閉装置の第１０の実施の形態を示す構成図で、図１０と同一部分には同一符合を付してその説明を省略し、ここでは異なる部分について述べる。
【００７３】
第１０の実施の形態においては、図１１に示すように遮断部２０の接地容器３１に設けられた短形の筒状分岐部３１ａに筒体３１ｂを連結し、さらにこの筒体３１ｂの開口端にブッシング１が取付けられる。
【００７４】
また、筒体３１ｂ内には断路器３０の固定電極部３１とこの固定電極部３１に対して接離可能な可動電極部３２とが同一軸線上に設けられ、固定電極部３１はブッシング１の中心導体１１と繋がる導体部分と筒状分岐部３１ａとの間に設けられた略円柱状の絶縁物６２に支持固定され、可動電極部３２は筒状分岐部３１ａの開口端と筒体３１ｂとの連結間に介挿された絶縁スペーサ６３に支持させる。また、この絶縁スペーサ６３に支持された中空導体３２ａは遮断部２０の可動電極部２２に繋がる中空導体２２ａに接続される。
【００７５】
このような構成の複合形ガス絶縁開閉装置によれば、第１の実施の形態と同様の作用効果が得られることに加えて、断路器と遮断部のガスを絶縁スペーサ６３により区分されているので、点検時の作業性を向上させることができる。
【００７６】
図１２は本発明による複合形ガス絶縁開閉装置の第１１の実施の形態を示す構成図で、図１０と同一部分には同一符合を付して説明する。
【００７７】
図１２において、３１は筒体の周面一部を分岐させて斜め上方に傾斜する筒状分岐部３１ａが設けられた断路器３０の接地容器で、この接地容器３１はその中心軸線が設置面に対して垂直になるように支持部材３７に取付けられている。
【００７８】
この接地容器３１の上部開口端には筒体３１ｃを介してブッシングを兼ねた遮断部碍管２３が取付けられ、また筒状分岐部３１ａの開口端には磁器碍管１２内に中心導体１１を設けたブッシング１が取付けられている。
【００７９】
接地容器３１内には遮断部３０の固定電極部３３とこの固定電極部３３に対して接離可能に可動電極部３２が同一軸線上に設けられ、可動電極部３２は中空導体３２ａを介して支持絶縁物３６により支持部材３７に垂直に取付けられている。
【００８０】
この可動電極部３２の中空導体３２ａには筒状分岐部３１ａ内の中心軸線上に配設された導体３２ｂの一端部が接続され、その他端部はブッシング１の中心導体１１に接続されている。
【００８１】
また、可動電極部３２の中空導体３２ａの周面一部に接地開閉器４の主極側電極４１が取付けられ、この主極側電極４１に対応する接地容器３１の外周面には接地開閉器操作機構４３が取付けられている。この接地開閉器操作機構４３は可動電極４２を主極側電極４１に対して接離可能に移動操作するものである。
【００８２】
さらに、可動電極部３２に対応する接地容器３１の外周面には操作機構３４が取付けられ、この操作機構３４は操作ロッド３５を介して可動電極部３２を固定電極部３３に対して接離可能に移動操作するものである。
【００８３】
一方、断路器３０の固定電極部３３は、ブッシングを兼ねた遮断部碍管２３内に同一軸線上に設けられた遮断部２０の固定電極部２１とこの固定電極部２１に対して接離可能な可動電極部２２の中空導体２２ａに機械的及び電気的に接続されている。この遮断部２０の固定電極部２１は遮断部碍管２３の先端部に取付けられ、可動電極部２２は絶縁物２７を介して筒体３１ｃの内周面に支持されている。
【００８４】
また、この絶縁物２７に対応する筒体３１ｃの外周面に遮断部操作機構２８が取付けられ、この遮断部操作機構２８により操作される操作ロッド２５は絶縁物２７内を貫通させて可動電極部２２の中空導体２２ａ内に設けられた変換レバー２４を介してリンク２６に結合され、可動電極部２２を固定電極部２１に対して接離操作可能にしている。
【００８５】
なお、接地容器３１の上部開口端付近に断路器３０の固定電極部３３と遮断部２０の可動電極部２２側の中空導体２２ａとの接続部を囲むように変流器７０が設けられている。
【００８６】
このような構成の複合形ガス絶縁開閉装置によれば、絶縁物２７により遮断部２０の可動電極部２２と断路器３０の固定電極部３３とを支持することにより、遮断部２０と断路器３０とを略直線状に配置することが可能となり、全体を大幅に簡素化できる。
【００８７】
図１３は本発明による複合形ガス絶縁開閉装置の第１２の実施の形態を示す構成図で、図１２と同一部分には同一符合を付してその説明を省略し、ここでは異なる部分について述べる。
【００８８】
第１２の実施の形態では、図１３に示すように接地容器３１の上部開口端と筒体３１ｃの結合部間に導体の支持を兼ねた絶縁スペーサ６４を設けるようにしたものである。
【００８９】
このように構成された複合形ガス絶縁開閉装置とすれば、断路器３０と遮断部２０のガスを絶縁スペーサ６４で区分することができるので、点検時の作業性を向上させることができる。
【００９０】
図１４は本発明による複合形ガス絶縁開閉装置の第１３の実施の形態を示す構成図で、図１２と同一部分には同一符合を付してその説明を省略し、ここでは異なる部分について述べる。
【００９１】
第１３の実施の形態では、図１４に示すように断路器３０の固定電極部３３の周面一部に接地開閉器８の主極側電極８１が取付けられ、この主極側電極８１に対応する接地容器３１の外周面には接地開閉器操作機構８２が取付けられている。この接地開閉器操作機構８２は可動電極８３を主極側電極８１に対して接離可能に移動操作するものである。
【００９２】
このように構成された複合形ガス絶縁開閉装置とすれば、遮断部２０と断路器３０との間に第２の接地開閉器８を設けているので、点検時に当該部の電位を接地電位にすることが容易にでき、安全性を向上させることができる。
【００９３】
図１５は本発明による複合形ガス絶縁開閉装置の第１４の実施の形態を示す構成図で、図１と同一部分には同一符合を付してその説明を省略し、ここでは異なる部分について述べる。
【００９４】
第１４の実施の形態においては、図１５に示すように接地容器３１に二股に分かれる筒状分岐部３１ａ、３１ｂを設け、接地容器３１及び筒状分岐部３１ａに対しては第１の実施の形態と同様の構成にして断路器３０及び遮断部２０を配置し、筒状分岐部３１ｂに対しては筒状分岐部３１ａ側と同一構成の断路器３０Ａを配置するようにしたものである。
【００９５】
図１６は図１５の実施の形態を示す単線結線図である。
【００９６】
このような構成の複合形ガス絶縁開閉装置とすれば、２つの断路器３０，３０Ａを接続構成できるので、変電所内で使用される複母線方式の複合形ガス絶縁開閉装置として効果的に適用することができる。
【００９７】
【発明の効果】
以上説明したように本発明によれば、ブッシングを兼ねた遮断部碍管内に遮断部を配置するようにしたので、全体を小形且つ軽量化することができると共に、製品価格を安価にできる複合形ガス絶縁開閉装置を提供できる。
【図面の簡単な説明】
【図１】本発明による複合形ガス絶縁開閉装置の第１の実施の形態を示す断面図。
【図２】同実施の形態の単線結線図
【図３】本発明による複合形ガス絶縁開閉装置の第２の実施の形態を示す断面図。
【図４】本発明による複合形ガス絶縁開閉装置の第３の実施の形態を示す断面図。
【図５】本発明による複合形ガス絶縁開閉装置の第４の実施の形態を示す断面図。
【図６】本発明による複合形ガス絶縁開閉装置の第５の実施の形態を示す断面図。
【図７】本発明による複合形ガス絶縁開閉装置の第６の実施の形態を示す断面図。
【図８】本発明による複合形ガス絶縁開閉装置の第７の実施の形態を示す断面図。
【図９】本発明による複合形ガス絶縁開閉装置の第８の実施の形態を示す断面図。
【図１０】本発明による複合形ガス絶縁開閉装置の第９の実施の形態を示す断面図。
【図１１】本発明による複合形ガス絶縁開閉装置の第１０の実施の形態を示す断面図。
【図１２】本発明による複合形ガス絶縁開閉装置の第１１の実施の形態を示す断面図。
【図１３】本発明による複合形ガス絶縁開閉装置の第１２の実施の形態を示す断面図。
【図１４】本発明による複合形ガス絶縁開閉装置の第１３の実施の形態を示す断面図。
【図１５】本発明による複合形ガス絶縁開閉装置の第１４の実施の形態を示す断面図。
【図１６】同実施の形態の複合形ガス絶縁開閉装置を示す単結線図。
【図１７】従来の複合形ガス絶縁開閉装置を示す単線結線図。
【図１８】従来の複合形ガス絶縁開閉装置の構成例を示す断面図。
【符号の説明】
１…ブッシング
２…遮断部
２ａ…遮断部
３…断路器
４…接地開閉器
５…変流器
６…変流器
２ｂ…遮断部接地容器
３ａ…断路器接地容器
１１…ブッシング導体
１２…磁器碍管
１５…非磁器碍管
１６…非磁器碍管
２０…遮断部
２１…遮断部固定側電極部
２２…遮断部可動側電極部
２３…遮断部碍管
２４…変換レバー
２５…操作ロッド
２６…リンク
２７…絶縁物
２８…遮断部操作機構
３０，３０Ａ…断路器
３１…断路器接地容器
３２…断路器可動側電極
３３…断路器固定側電極
３４…断路器操作機構
３５…操作ロッド
４１…接地開閉器主極側電極
４２…接地開閉器可動電極
３６…支持絶縁物
４３…接地開閉器操作機構
６０…絶縁物
６１…電極
６２…円柱状絶縁物
６３…絶縁スペーサ
６４…絶縁スペーサ
６５…絶縁スペーサ
７０…変流器
７１…光変換形変流器
７２…変成器
７３…光変換形分圧器
８１…接地開閉器
【図１】
0004330772.tif 000002
【図２】
0004330772.tif 000003
【図３】
0004330772.tif 000004
【図４】
0004330772.tif 000005
【図５】
0004330772.tif 000006
【図６】
0004330772.tif 000007
【図７】
0004330772.tif 000008
【図８】
0004330772.tif 000009
【図９】
0004330772.tif 000010
【図１０】
0004330772.tif 000011
【図１１】
0004330772.tif 000012
【図１２】
0004330772.tif 000013
【図１３】
0004330772.tif 000014
【図１４】
0004330772.tif 000015
【図１５】
0004330772.tif 000016
【図１６】
0004330772.tif 000017
【図１７】
0004330772.tif 000018
【図１８】
0004330772.tif 000019